(57)【要約】【課題】認証の成功により実行を許可されたジョブを実行中であるか否かを知ることができるようにする。【解決手段】デジタル複合機１は、メッセージ９０５６又はメッセージ１０５６から音声を合成してスピーカ１２７から出力することにより、メッセージ９０５６又はデフォルトメッセージ１０５６に応じた音声を再生することができる。デジタル複合機１では、認証の成功により実行を許可されたジョブの実行中において、実行中のジョブに対応付けられたジョブ実行メッセージ９０５８をメモリ領域９０５１から読み出して再生する。【選択図】図１
2008112362.tif 000002
【特許請求の範囲】
【請求項１】
認証デバイスによる認証要求に対して認証の成否を決定する決定手段と、
認証の成功により実行を許可された処理の実行中に、前記認証デバイスから第１データを読み出し、読み出した前記第１データに応じた第１音声を再生する再生手段と、
を備えることを特徴とする認証装置。
【請求項２】
前記再生手段は、実行中の処理に対応づけられた前記第１データを読み出すことを特徴とする請求項１に記載の認証装置。
【請求項３】
前記再生手段は、認証の成功により実行を許可された処理の終了に同期して、前記認証デバイスから第２データを読み出し、読み出した前記第２データに応じた第２音声を再生することを特徴とする請求項１又は請求項２に記載の認証装置。
【請求項４】
前記再生手段は、終了した処理に対応づけられた前記第２データを読み出すことを特徴とする請求項３に記載の認証装置。
【請求項５】
前記再生手段は、テキストデータから音声を合成する音声合成手段を備え、前記認証デバイスから前記第１データとしてテキストデータを読み出し、前記音声合成手段により前記第１データから合成した音声を出力することを特徴とする請求項１ないし請求項４のいずれかに記載の認証装置。
【発明の詳細な説明】
【技術分野】
【０００１】
本発明は、認証装置に関する。
【背景技術】
【０００２】
従来より、ファクシミリ機能、コピー機能、スキャン機能及びプリント機能等を有するデジタル複合機において、操作者が利用資格を有しているか否かを確認するため、ＩＣカード等の認証デバイスによる認証が行われている。
【０００３】
なお、特許文献１は、本発明と関連する先行技術文献であり、個別データ格納手段に記録されたプリペイド情報に応じて合成音声等を発生するＵＳＢアクセスキーを開示している。
【０００４】
【特許文献１】特開２００３−２１６５８６号公報
【発明の開示】
【発明が解決しようとする課題】
【０００５】
しかし、従来のデジタル複合機では、操作者がデジタル複合機から離れると、認証の成功により実行を許可されたジョブを実行中であるか否かを知ることができないという問題があった。
【０００６】
本発明は、この問題を解決するためになされたもので、デジタル複合機等において、認証の成功により実行を許可されたジョブを実行中であるか否かを知ることができるようにすることを目的とする。
【課題を解決するための手段】
【０００７】
上記課題を解決するため、請求項１の発明は、認証デバイスによる認証要求に対して認証の成否を決定する決定手段と、認証の成功により実行を許可された処理の実行中に、前記認証デバイスから第１データを読み出し、読み出した前記第１データに応じた第１音声を再生する再生手段とを備えることを特徴とする認証装置である。
【０００８】
請求項２の発明は、前記再生手段は、実行中の処理に対応づけられた前記第１データを読み出すことを特徴とする請求項１に記載の認証装置である。
【０００９】
請求項３の発明は、前記再生手段は、認証の成功により実行を許可された処理の終了に同期して、前記認証デバイスから第２データを読み出し、読み出した前記第２データに応じた第２音声を再生することを特徴とする請求項１又は請求項２に記載の認証装置である。
【００１０】
請求項４の発明は、前記再生手段は、終了した処理に対応づけられた前記第２データを読み出すことを特徴とする請求項３に記載の認証装置である。
【００１１】
請求項５の発明は、前記再生手段は、テキストデータから音声を合成する音声合成手段を備え、前記認証デバイスから前記第１データとしてテキストデータを読み出し、前記音声合成手段により前記第１データから合成した音声を出力することを特徴とする請求項１ないし請求項４のいずれかに記載の認証装置である。
【発明の効果】
【００１２】
請求項１の発明によれば、画像処理装置から離れていても、認証の成功により実行を許可された処理を実行中であることを知ることができる。また、請求項１の発明によれば、認証デバイスを個人毎に所有しておき、各認証デバイスに個人特有の第１データを記憶しておくことで、認証中の個人を簡単に認識できる。さらに、請求項１の発明によれば、装置本体内に予め第１データを記憶させておく必要がない。すなわち、認証デバイスを複数の装置に対して共通に使用する場合でも、認証デバイスのみに第１データを記憶しておけば、各装置本体に第１データを記憶しておかなくても、処理実行中の音声再生を実行できる。加えて、第１データを個人特有の内容とすることにより、装置の横に誰もいない場合でも、第１データの音声再生によって、誰の処理を実行中であるかを第三者が知ることができる。これにより、例えば第三者は、実行中の処理を中断させて自分の処理を割り込むかどうか判断できる。
【００１３】
請求項２の発明によれば、画像処理装置から離れていても、実行中の処理の内容を知ることができる。
【００１４】
請求項３の発明によれば、画像処理装置から離れていても、認証の成功により実行を許可された処理の終了を知ることができる。
【００１５】
請求項４の発明によれば、画像処理装置から離れていても、終了した処理の内容を知ることができる。
【００１６】
請求項５の発明によれば、認証デバイスに要求される記憶容量を減らすことができる。
【発明を実施するための最良の形態】
【００１７】
＜１  デジタル複合機の構成＞
図１は、本発明の望ましい実施形態に係るデジタル複合機１の構成を示すブロック図である。デジタル複合機１は、ＭＦＰ（Multi Function Peripherals）とも呼称され、ファクシミリ機能、コピー機能、スキャン機能及びプリント機能等を有する画像処理装置として機能している。
【００１８】
図１に示すように、デジタル複合機１には、ＣＰＵ１０３、ＲＯＭ１０５及びＲＡＭ１０７を備えるコンピュータ１０１が組み込まれている。ＲＯＭ１０５には、プログラム１０５５が格納され、コンピュータ１０１は、プログラム１０５５を実行することにより、デジタル複合機１の各構成１０９〜１３１を統括制御し、デジタル複合機１の各機能を実現している。また、ＲＯＭ１０５には、デフォルトのメッセージ１０５６（警告メッセージ１０５７、ジョブ実行中メッセージ１０５８及びジョブ終了メッセージ１０５９）が登録されている。
【００１９】
また、デジタル複合機１は、プリント部(print部)１０９及び読み取り部１１１を備える。
【００２０】
プリント部１０９は、電子写真方式により、画像データに係る画像を記録紙等の記録媒体上に形成する。
【００２１】
読み取り部１１１は、ＣＣＤラインセンサにより原稿を読み取り、当該原稿に係る画像データを生成する。読み取り部１１１は、ＡＤＦ（Automatic Document Feeder）方式又はＦＢＳ（Flat Bed Scanner）方式により原稿を読み取る。
【００２２】
さらに、デジタル複合機１は、通信手段として、モデム（MODEM）１１３、カプラー１１５及びネットワークインターフェースボード（Network I/F BD）１１７を備える。モデム１１３及びカプラー１１５は、公衆電話交換網９０１を経由したファクシミリ画像データの送受信に用いられる。モデム１１３は、カプラー１１５を介して公衆電話交換網９０１に接続され、ＩＴＵ（国際電気通信連合）−Ｔ勧告Ｔ.３０にしたがったファクシミリ伝送制御手順に基づいて、Ｖ．１７，Ｖ．２７ｔｅｒ，Ｖ．２９等にしたがったファクシミリ画像データの変復調を行う。又は、モデム１１３は、これらに加えて、Ｖ．３４にしたがったファクシミリ画像データの変復調を行う。ネットワークインターフェースボード１１７は、デジタル複合機１をＬＡＮ（Local Area Network）９０３に接続する。
【００２３】
加えて、デジタル複合機１には、ユーザインターフェースとして、操作部１１９が設けられる。操作部１１９は、液晶タッチパネルディスプレイにより構成され、操作の対象となるとともに情報を表示する。
【００２４】
認証デバイス認識部（リーダ／ライタ）１２１は、認証デバイス９０５を認識し、認証デバイス９０５の各々を識別する固有のシリアル番号を、認識した認証デバイス９０５から取得することができるとともに、認証デバイス９０５のメモリ領域９０５１からのデータの読み出し及びメモリ領域９０５１へのデータの書き込みを行うことができる。メモリ領域９０５１には、メッセージ９０５６（ジョブ実行中メッセージ９０５８及びジョブ終了メッセージ９０５９）を登録することができる（登録しないことも許容される）。メッセージ９０５６は、認証デバイス９０５の各々ごとに異なるものとすることができる。認証デバイス９０５としては、ＩＣカードやＵＳＢトークン等を用いることができる。
【００２５】
フラッシュメモリ１２３は、不揮発性の補助記憶装置として機能する。フラッシュメモリ１２３には、認証を成功させるべき認証デバイス９０５のシリアル番号と利用を許可された操作者とを紐付けて登録したテーブル１２３５が記憶されている。テーブル１２３５の内容は、デジタル複合機１の管理者が編集することができる。
【００２６】
さらに、デジタル複合機１は、メモリ領域９０５１から読み出したメッセージ９０５６又はＲＯＭ１０５から読み出したメッセージ１０５６を再生する手段として、音声ＣＯＤＥＣ１２５、スピーカ１２７、辞書データ用ＲＯＭ１２９及び音響データ用ＲＯＭ１３１を備える。ＣＯＤＥＣ１２５は、ＷＡＶファイル等の音声ファイルを伸張して音声信号をスピーカ１２７へ出力する。また、コンピュータ１０１は、プログラム１０５５を実行することにより、辞書データ用ＲＯＭ１２９を参照して、テキストデータであるメッセージ９０５６又はメッセージ１０５６に対して言語処理を行い、音響データ用ＲＯＭ１３１を参照して、言語処理が施されたメッセージ９０５６又はメッセージ１０５６から音声ファイルを生成する。これにより、デジタル複合機１では、メッセージ９０５６又はメッセージ１０５６から音声を合成し、メッセージ９０５６又はデフォルトメッセージ１０５６に応じた音声を再生することができる。
【００２７】
上述したデジタル複合機１の各構成１０３〜１３１は、バス１３３によって接続され、相互間でデータの送受信を行うことができる。
【００２８】
ファクシミリモードでは、デジタル複合機１は、読み取り部１１１を用いて、原稿を読み取り、モデム１１３及びカプラー１１５を用いて、当該原稿に係るファクシミリ画像データを他のファクシミリ機へ公衆電話交換網９０１を経由して送信する。また、デジタル複合機１は、モデム１１３及びカプラー１１５を用いて、他のファクシミリ機から公衆電話交換網９０１を経由して送信されてきたファクシミリ画像データを受信し、プリント部１０９を用いて、当該ファクシミリ画像データに係る画像を記録媒体上に形成する。
【００２９】
コピーモードでは、デジタル複合機１は、読み取り部１１１を用いて、原稿を読み取り、プリント部１０９を用いて、当該原稿に係る画像を記録媒体上に形成する。
【００３０】
スキャンモードでは、デジタル複合機１は、読み取り部１１１を用いて、原稿を読み取り、当該原稿に係る画像データを生成する。
【００３１】
プリントモードでは、デジタル複合機１は、ネットワークインターフェースボード１１７を用いて、ＬＡＮ９０３を経由して送信されてきた画像データを受信し、プリント部１０９を用いて、当該画像データに係る画像を記録媒体上に形成する。
【００３２】
＜２  認証＞
デジタル複合機１は、認証デバイス９０５による認証要求に対して認証の成否を決定する認証装置としても機能しており、認証が成功した場合のみ利用することができるように構成されている。もちろん、デジタル複合機１の全機能について認証の成功を要求することは必須ではなく、特定の機能についてのみ認証の成功を要求するようにしてもよい。また、認証に係る処理の一部をＬＡＮ９０３に接続されたコンピュータ（認証サーバ）で行うようにしてもよいし、認証に係る処理を認証デバイス認識部１２１の内部で完結できるようにしてもよい。
【００３３】
続いて、コンピュータ１０１がプログラム１０５５を実行してデジタル複合機１の各構成１０９〜１３１を統括制御することにより実現される認証の流れについて、図２のフローチャートを参照しながら説明する。
【００３４】
デジタル複合機１の利用に先立って、操作者が認証デバイス９０５を認証デバイス認識部１２１に認識させると（ステップＳ１０１）、まず、認証デバイス認識部１２１によって、認識された認証デバイス９０５からシリアル番号が取得される。そして、取得されたシリアル番号が、利用を許可された操作者と紐付けされてテーブル１２３５に登録されている場合は、認証デバイス９０５による認証要求に対する認証は成功し（ステップ１０２で"YES"）、デジタル複合機１は利用可能な状態となる。一方、登録されていない場合は、認証デバイス９０５による認証要求に対する認証は失敗し（ステップＳ１０２で"NO"）、デジタル複合機１は、認証が成功するまで待機状態を継続する。そして、デジタル複合機１が利用可能な状態においては、操作者は、デジタル複合機１にジョブの実行を開始させることができる（ステップＳ１０３）。ここで「ジョブ」とは、デジタル複合機１における一連の処理をいい、例えば、一群の原稿のコピー等を指す。なお、操作者に応じて、利用可能となるジョブの種類及び／又は機能を異ならせても良い。例えば、第１の操作者は、コピー、スキャン、ＦＡＸ送信の全てのジョブが利用可能であるが、第２の操作者は、コピー、スキャンのみが利用可能であり、第３の操作者は、スキャンのみが利用可能である場合が考えられる。また、コピージョブにおいて、第１の操作者は、モノクロコピーとカラーコピーのいずれも利用可能であり、第２の操作者は、モノクロコピーのみ利用可能である場合が考えられる。このような利用制限は、操作者毎に、利用可能なジョブの種類及び／又は機能を予め登録しておき、認証が成功した際、特定された操作者に対応付けて登録されている情報に基づいて、利用を許可するジョブの種類や機能を制限することで可能となる。また、操作者毎に権限レベル（管理者、部内ユーザ、その他ユーザ）を割り付けるとともに、権限レベルに対応付けて、利用可能なジョブの種類や機能を登録しておき、認証時に特定された操作者の権限レベルを参照し、その権限レベルに応じた利用制限処理を実行することでも可能となる。
【００３５】
認証デバイス９０５に対する認証が成功し、デジタル複合機１がジョブの実行を開始した後も、認証デバイス認識部１２１が認証デバイス９０５を認識できるか否かは所定の時間間隔で調べられている。そして、認証デバイス認識部１２１が認証デバイス９０５を認識できている間は（ステップＳ１０４で"YES"）、認証が成功した状態は維持され、ジョブの実行は継続される（ステップＳ１０５）。しかし、認証デバイス認識部１２１が認証デバイス９０５を認識できなくなると、デジタル複合機１では、操作者に対して警告が発せられる（ステップＳ１０６）。警告は、警告メッセージ１０５７をＲＯＭ１０５から読み出して再生することにより行う。これにより、警告メッセージ１０５７が再生されることを知っている悪意の人物が認証デバイス９０５を勝手に取り外す行為を心理的に抑止することができる。
【００３６】
認証の成功により実行を許可されたジョブの実行中においては、メモリ領域９０５１にジョブ実行中メッセージ９０５８が登録されている場合は（ステップＳ１０７で"YES"）、デジタル複合機１は、実行中のジョブの種類に対応付けられたジョブ実行中メッセージ９０５８をメモリ領域９０５１から読み出して再生する（ステップＳ１０８）。例えば、コピージョブ用のメッセージ、スキャンジョブ用のメッセージ、ＦＡＸ送信用のメッセージ等を認証デバイス９０５内に記憶しておき、実行されるジョブの種類に対応するメッセージを選択して読み出し音声再生する。例えば、コピージョブが実行される場合には、コピージョブ用のメッセージを選択して読み出す。これにより、デジタル複合機１から離れていても、認証の成功により実行を許可されたジョブを実行中であること及び実行中のジョブの内容を知ることができる。また、再生されるジョブ実行中メッセージ９０５８は認証デバイス９０５ごとに異なるので、何人のジョブを実行中であるのかも知ることができる。一方、登録されていない場合は、デジタル複合機１は、デフォルトのジョブ実行中メッセージ１０５８をＲＯＭ１０５から読み出して再生する（ステップＳ１０９）。
【００３７】
ジョブ実行中メッセージ９０５２又はジョブ実行中メッセージ１０５７の再生は、ジョブが終了しない限り（ステップＳ１１０で"NO"）繰り返されるが、ジョブが終了すると（ステップＳ１１０で"YES"）、メモリ領域９０５１にジョブ終了メッセージ９０５９が登録されている場合は（ステップＳ１１１で"YES"）、デジタル複合機１は、終了したジョブの種類に対応付けられたジョブ終了メッセージ９０５９をメモリ領域９０５１から読み出して再生する（ステップＳ１１２）。例えば、コピージョブ用のメッセージ、スキャンジョブ用のメッセージ、ＦＡＸ送信用のメッセージ等を認証デバイス９０５内に記憶しておき、終了したジョブの種類に対応するメッセージを選択して読み出し音声再生する。例えば、コピージョブが終了した場合には、コピージョブ用のメッセージを選択して読み出す。これにより、デジタル複合機１から離れていても、認証の成功により実行を許可されたジョブの終了及び終了したジョブの内容を知ることができる。また、再生されるジョブ終了メッセージ９０５９は認証デバイス９０５ごとに異なるので、何人のジョブが終了したのかも知ることができる。一方、登録されていない場合は、デジタル複合機１は、デフォルトのジョブ終了メッセージ１０５９をＲＯＭ１０５から読み出して再生する（ステップＳ１１３）。
【００３８】
このような処理の流れによれば、認証が成功した状態が継続している限り、操作者は、利用可能なジョブをデジタル複合機１に実行させることができる。また、デジタル複合機１では、ジョブとジョブとの間は、音声再生が停止されており、不要な音声再生を防止できる。
【００３９】
＜３  その他＞
上述のデジタル複合機１では、テキストデータであるメッセージ９０５６を認証デバイス９０５１に登録していたが、音声ファイル（メロディ等の音声ファイルでもよい）を認証デバイス９０５１に登録するようにしてもよい。このように、音声ファイルを認証デバイス９０５１に登録すると、メモリ領域に要求される記憶容量は大きくなるが、テキストデータから音声ファイルを生成する必要がなくなるので、辞書データ用ＲＯＭ１２９や音響データ用ＲＯＭ１３１が不要になり、デジタル複合機１の構成を簡略化することができる。
【００４０】
又は、具体的なメッセージの内容を含む実体データを認証デバイス９０５３に登録する代わりに、メッセージ番号等の代替データを認証デバイス９０５３に登録しておき、当該代替データに応じた音声ファイルをＲＯＭ１０５から読み出して再生するようにしてもよい。この方法によれば、メモリ領域９０５１の記憶容量が小さい磁気カード等を認証デバイス９０５として使用することができるようになる。
【００４１】
なお、上述の説明では、デジタル複合機１の利用者認証に本発明を適用した場合について説明したが、本発明は、これ以外の用途にも適用することができる。
【図面の簡単な説明】
【００４２】
【図１】本発明の望ましい実施形態に係るデジタル複合機１の構成を示すブロック図である。
【図２】認証の流れを説明するフローチャートである。
【符号の説明】
【００４３】
１  デジタル複合機
１０１  コンピュータ
１２１  認証デバイス認識部
９０５  認証デバイス
【図１】
2008112362.tif 000003
【図２】
2008112362.tif 000004